(57)【要約】【課題】光信号レベルの揺らぎが累積するという従来の光減衰量制御の欠点をなくし、ノードが多段に接続されても光信号レベルの揺らぎが累積しないように抑制すること。【解決手段】波長多重化された光信号を各波長ごとの光信号に分離するデマルチプレクサ１２と、各波長の光信号のレベルが一定となるように光減衰量制御を行う光減衰量制御部１３と、光減衰量制御が行われた各波長の光信号を合成して多重化するマルチプレクサ１６と、光信号のレベルについての第１のレベル範囲を格納する光信号レベル格納部１５と、各波長の光信号のレベルが光信号レベル格納部１５から取得した第１のレベル範囲内であるか否かを判別し、レベルが第１のレベル範囲内であるときにその波長の光信号に対する光減衰量制御を停止させる光減衰量制御停止部２２とを有する。【選択図】  図２
2008042845.tif 000002
【特許請求の範囲】
【請求項１】
波長多重化された各波長ごとに光信号のレベルが一定となるように光減衰量制御が行われる光波長多重伝送装置の制御方法であって、
前記各波長の光信号について、それぞれのレベルが予め設定された第１のレベル範囲内であるか否かを判別し、レベルが第１のレベル範囲内であるときにその波長の光信号に対する前記光減衰量制御を停止する、
ことを特徴とする光波長多重伝送装置の制御方法。
【請求項２】
前記光減衰量制御を停止した波長の光信号に対して、そのレベルが予め設定された第２のレベル範囲内であるか否かを判別し、レベルが第２のレベル範囲内でないときにその光信号に対する前記光減衰量制御を再開する、
請求項１記載の光波長多重伝送装置の制御方法。
【請求項３】
波長多重化された光信号を各波長ごとの光信号に分離するデマルチプレクサと、
前記各波長の光信号のレベルが一定となるように光減衰量制御を行う光減衰量制御部と、
前記光減衰量制御が行われた前記各波長の光信号を合成して多重化するマルチプレクサと、
光信号のレベルについての第１のレベル範囲を格納する光信号レベル格納部と、
前記各波長の光信号のレベルが前記光信号レベル格納部から取得した第１のレベル範囲内であるか否かを判別し、レベルが第１のレベル範囲内であるときにその波長の光信号に対する前記光減衰量制御を停止させる光減衰量制御停止部と、
を有することを特徴とする光波長多重伝送装置。
【請求項４】
前記光信号レベル格納部には、当該光波長多重伝送装置のネットワーク内におけるノード位置に応じた複数の第１のレベル範囲が格納されており、
前記光減衰量制御停止部において、前記光信号レベル格納部に格納された複数の第１のレベル範囲の中から当該光波長多重伝送装置のノード位置に対応して取得した第１のレベル範囲を用いて判別を行う、
請求項３記載の光波長多重伝送装置。
【請求項５】
ネットワークのノードに光波長多重伝送装置が配置された光波長多重伝送システムであって、
前記光波長多重伝送装置には、
波長多重化された光信号を各波長ごとの光信号に分離するデマルチプレクサと、
前記各波長の光信号のレベルが一定となるように光減衰量制御を行う光減衰量制御部と、
前記光減衰量制御が行われた前記各波長の光信号を合成して多重化するマルチプレクサと、
光信号のレベルについて、当該光波長多重伝送装置のネットワーク内におけるノードの機能に応じた複数の第１のレベル範囲を格納する光信号レベル格納部と、
前記光信号レベル格納部に格納された複数の第１のレベル範囲の中から、前記光波長多重伝送システムを管理するオペレーションシステムからの指令に対応した第１のレベル範囲を取得する第１のレベル範囲取得部と、
各波長の光信号のレベルが前記第１のレベル範囲取得部により取得した第１のレベル範囲内であるか否かを判別し、レベルが前記第１のレベル範囲内であるときにその波長の光信号に対する前記光減衰量制御を停止させる光減衰量制御停止部と、
を有することを特徴とする光波長多重伝送システム。
【発明の詳細な説明】
【技術分野】
【０００１】
本発明は、波長多重化された各波長ごとに光信号のレベルが一定となるように光減衰量制御が行われる光波長多重伝送装置、およびその制御方法、並びに光波長多重伝送システムに関する。特に、光波長多重伝送装置を多段接続した際の光信号レベルの揺らぎの累積を抑制する制御方法に関する。
【背景技術】
【０００２】
従来より、光ネットワークにおける大容量かつ高速の伝送方式として、波長分割多重 (WDM: Wavelength Division Multiplexing)方式がしばしば用いられている（特許文献１，２）。波長分割多重方式の光伝送システム（以下「ＷＤＭシステム」ということがある）においては、その伝送品質を確保するために、多重化された各波長のチャネルの光信号レベル（光レベル）を一様にかつ最適な値に保持する必要がある。そのため、従来において、各波長ごとの光信号レベルを一定にするための光減衰量制御（ＶＡＴ制御）が行われている。
【０００３】
図１１は従来における一般的なＷＤＭシステム８０の構成を示す図である。
【０００４】
図１１において、ＷＤＭシステム８０は、複数のノードＮＤ１１，１２，１３…が多段に接続されて構成されている。各ノードＮＤには、波長多重化された光信号を各波長ごとの光信号に分離するデマルチプレクサ８１、各波長の光信号のレベルが一定となるように光減衰量制御を行う光減衰量制御部８２、および、光減衰量制御が行われた各波長の光信号を合成して多重化するマルチプレクサ８３が設けられている。なお、デマルチプレクサ８１の前とマルチプレクサ８３の後には増幅器が設けられる。
【０００５】
各ノードＮＤに入力されたクライアント側からの入力光は、それぞれのデマルチプレクサ８１によって分波され、各波長の光に対して、光減衰量制御部８２が光減衰量制御を行うことで各波長ごとの光信号レベルを一定にする。そして、マルチプレクサ８３において合波して伝送路（ＷＤＭ伝送路）ＫＳに送出する。
【特許文献１】特開２０００−４２１３
【特許文献２】特開２００３−２３４７０２
【発明の開示】
【発明が解決しようとする課題】
【０００６】
上に述べたような従来のシステム構成では、ノードＮＤを多段接続した際に光信号レベルの揺らぎが発生することがある。すなわち、従来においては、各ノードＮＤの光減衰量制御部８２における光減衰量制御において、同じ制御時間を用いており、ノードＮＤの段数が多くなるほど、初段ノードからの微細な光信号レベルの揺らぎが累積し、これが無視できない程度となって主信号に悪影響を与えることとなる。
【０００７】
このような光信号レベルの揺らぎが累積するメカニズムは次のように考えられる。すなわち、光減衰量制御部８２には制御時間という遅れ要素がある。光減衰量制御部８２には様々な要因で種々の周波数の光信号が入力されるが、図１２に示すように、制御時間の２倍の周期の光信号Ｓ１１が入力された場合に、時刻ＴＡでは、揺らぎを抑えるために、矢印Ｐ５の向きに矢印Ｐ５の長さだけ振幅を抑えようという制御をかけようとする。しかし、制御時間に起因する制御遅延のために、実際に制御がかかるのは時刻ＴＡよりも制御時間分だけ遅れた時刻ＴＡＡにおいてである。そのため、時刻ＴＡＡでの光信号Ｓ１１は、矢印Ｐ５と同じ向きと長さを持った矢印Ｐ６の分だけ、入力された光信号Ｓ１１を変化させたものとなり、入力された光信号Ｓ１１に対して出力される光信号Ｓ１２の振幅が増加する。出力される光信号Ｓ１２は、次のノードＮＤの入力光信号Ｓ１１となり、同様のプロセスでその出力光信号Ｓ１２もさらに振幅が増加したものとなる。このようなプロセスの累積によって、図１３に示すように、光信号の揺らぎが増大していく。ノードＮＤの段数が多くなるほど揺らぎの振幅が増加し、主信号への悪影響が大きくなる。
【０００８】
したがって、従来においては、光減衰量制御によって光信号のレベルが安定するまでに時間がかかるという問題があった。また、接続できるノード数が制限されという問題もあった。
【０００９】
本発明は、上述の問題に鑑みてなされたもので、光信号レベルの揺らぎが累積するという従来の光減衰量制御の欠点をなくし、ノードが多段に接続されても光信号レベルの揺らぎが累積しないように抑制することを目的とする。
【課題を解決するための手段】
【００１０】
本発明に係る方法は、波長多重化された各波長ごとに光信号のレベルが一定となるように光減衰量制御が行われる光波長多重伝送装置の制御方法であって、前記各波長の光信号について、それぞれのレベルが予め設定された第１のレベル範囲内であるか否かを判別し、レベルが第１のレベル範囲内であるときにその波長の光信号に対する前記光減衰量制御を停止する。
【００１１】
好ましくは、前記光減衰量制御を停止した波長の光信号に対して、そのレベルが予め設定された第２のレベル範囲内であるか否かを判別し、レベルが第２のレベル範囲内でないときにその光信号に対する前記光減衰量制御を再開する。
【００１２】
本発明に係る装置は、波長多重化された光信号を各波長ごとの光信号に分離するデマルチプレクサと、前記各波長の光信号のレベルが一定となるように光減衰量制御を行う光減衰量制御部と、前記光減衰量制御が行われた前記各波長の光信号を合成して多重化するマルチプレクサと、光信号のレベルについての第１のレベル範囲を格納する光信号レベル格納部と、前記各波長の光信号のレベルが前記光信号レベル格納部から取得した第１のレベル範囲内であるか否かを判別し、レベルが第１のレベル範囲内であるときにその波長の光信号に対する前記光減衰量制御を停止させる光減衰量制御停止部と、を有する。
【００１３】
好ましくは、前記光信号レベル格納部には、当該光波長多重伝送装置のネットワーク内におけるノード位置に応じた複数の第１のレベル範囲が格納されており、前記光減衰量制御停止部において、前記光信号レベル格納部に格納された複数の第１のレベル範囲の中から当該光波長多重伝送装置のノード位置に対応して取得した第１のレベル範囲を用いて判別を行う。
【００１４】
本発明に係るシステムは、ネットワークのノードに光波長多重伝送装置が配置された光波長多重伝送システムであって、前記光波長多重伝送装置には、波長多重化された光信号を各波長ごとの光信号に分離するデマルチプレクサと、前記各波長の光信号のレベルが一定となるように光減衰量制御を行う光減衰量制御部と、前記光減衰量制御が行われた前記各波長の光信号を合成して多重化するマルチプレクサと、光信号のレベルについて、当該光波長多重伝送装置のネットワーク内におけるノードの機能に応じた複数の第１のレベル範囲を格納する光信号レベル格納部と、前記光信号レベル格納部に格納された複数の第１のレベル範囲の中から、前記光波長多重伝送システムを管理するオペレーションシステムからの指令に対応した第１のレベル範囲を取得する第１のレベル範囲取得部と、各波長の光信号のレベルが前記第１のレベル範囲取得部により取得した第１のレベル範囲内であるか否かを判別し、レベルが前記第１のレベル範囲内であるときにその波長の光信号に対する前記光減衰量制御を停止させる光減衰量制御停止部と、を有する。
【発明の効果】
【００１５】
本発明によると、光信号レベルの揺らぎが累積するという従来の光減衰量制御の欠点をなくし、ノードが多段に接続されても光信号レベルの揺らぎが累積しないように抑制することができる。
【発明を実施するための最良の形態】
【００１６】
図１は本発明に係る光波長多重伝送装置３を用いたＷＤＭシステム１の構成を示す図、図２は光波長多重伝送装置３の構成を示すブロック図、図３は光波長多重伝送装置３における調整部および演算部の機能を説明するための図、図４は光波長多重伝送装置３における光減衰量制御（ＶＡＴ制御）を説明するための図、図５はレベル格納部１５に格納されたレベル範囲の例を示す図、図６は光減衰量制御の様子を示すタイミング図、図７は光減衰量制御の様子を示すタイミング図、図８は光減衰量制御による光信号レベルの揺らぎの抑制効果を説明するための図、図９は光減衰量制御の流れを示すフローチャート、図１０は停止処理の例を示すフローチャートである。
【００１７】
図１において、ＷＤＭシステム１は、複数のノードＮＤ１，２，３…が、回線（伝送路）ＫＳを介して多段に接続されて構成されており、光波長多重化された光信号が伝送される。それぞれのノードＮＤにおいて、光波長多重伝送装置３が設けられており、必要に応じてクライアントからの光信号が入力され（アド）、必要に応じてクライアントに対して光信号を出力し（ドロップ）、また、クライアントからの入力および出力を行うことなく光信号を伝送する（スルー）。
【００１８】
図１に示す例では、ノードＮＤ２はアドノードに、ノードＮＤ５はドロップノードに、その他のノードＮＤ１，３，４はスルーノードに設定されている。なお、ライン状に接続されたＷＤＭシステム１においては、初段のノードＮＤは常にアドノードとして、最終段のノードＮＤは常にドロップノードとして、それぞれ動作するように構成してもよい。また、ノードＮＤはリング状またはネットワーク状に接続されていてもよい。
【００１９】
各ノードＮＤを制御するために、オペレーションステーションＯＰＳが設けられている。オペレーションステーション（オペレーションシステム）ＯＰＳには制御用のコンピュータが設けられ、各ノードＮＤに対してノード位置情報ＤＰを送信し、また、各ノードＮＤでの光減衰量制御に用いられる基準レベルＬＶを送信するなど、各ノードＮＤが最適の状態で動作するのに必要な種々の設定を行い、また、各ノードＮＤの動作状態を監視する。各ノードＮＤは、独立非同期動作で光減衰量制御を実行し、その停止処理などを実行する。
【００２０】
図２において、光波長多重伝送装置３には、増幅器１１、デマルチプレクサ１２、光減衰量制御部１３、ノード位置認識部１４、レベル格納部１５、マルチプレクサ１６、および増幅器１７が設けられている。
【００２１】
増幅器１１は、前段の光波長多重伝送装置３から入力された光波長多重化された光信号を増幅する。デマルチプレクサ１２は、光波長多重化された光信号を各波長ごとの光信号に分離（分波）する。光信号をクライアントにドロップするときは、デマルチプレクサ１２で分離された光信号のうち、所定の波長の光信号をクライアントに出力すればよい。ま、光信号をアドするときは、デマルチプレクサ１２を介することなく、クライアントから出力された光信号を光減衰量制御部１３に入力すればよい。
【００２２】
光減衰量制御部１３は、各波長の光信号のレベル（強度）が一定となるように光減衰量制御を行う。本実施形態において、光減衰量制御部１３には、ＶＡＴ制御部２１、調整部２２、演算部２３、およびレベルモニタ２４が設けられている。なお、光減衰量制御部１３は、分離された各波長ごとの光信号に対して個別に処理を行うように設けられている。しかし、それら全体を光減衰量制御部１３とし、光減衰量制御部１３の内部において各波長ごとの光信号を個別に処理するように構成してもよい。
【００２３】
ＶＡＴ制御部２１は、各波長の光信号に対して、光減衰量制御部１３における本来の制御である光減衰量制御を行う。ＶＡＴ制御部２１は、光信号のレベルが設定された積分レベル範囲内であるときには積分動作による光減衰量制御を行い、積分レベル範囲を越えている場合には比例動作による光減衰量制御を行う。比例動作による光減衰量制御を行う際に、例えば、ローパスフィルタによるフィルタリングを行う。
【００２４】
調整部２２は、光信号のレベルが設定された停止レベル範囲内であるときに、ＶＡＴ制御部２１に働きかけて光減衰量制御を停止させる。その際に、例えば、光信号のレベルが設定された停止レベル範囲内に所定の時間以上あって安定状態であると判断されたときに光減衰量制御を停止させる。また、光信号のレベルが最適のレベル例えば目標レベルに一致したときに、光減衰量制御の停止を実行する。
【００２５】
調整部２２は、また、光減衰量制御の停止中において、光信号のレベルが設定されたレベル範囲（再開レベル範囲）内でなくなったときに光減衰量制御を再開させるよう、ＶＡＴ制御部２１を制御する。
【００２６】
演算部２３は、光信号のレベルが設定された種々のレベルの範囲内であるか否かを演算する。
【００２７】
レベルモニタ２４は、ＶＡＴ制御部２１の出力する光信号のレベルを検出し、検出したレベルを演算部２３に出力する。
【００２８】
ノード位置認識部１４は、オペレーションステーションＯＰＳから送られてきたノード位置情報ＤＰを格納し、自身のノードＮＤの状態を認識する。そして、ノードＮＤの状態に応じたレベル範囲をレベル格納部１５から取得し、取得したレベル範囲を演算部２３に送る。
【００２９】
レベル格納部１５は、オペレーションステーションＯＰＳから送られてきた種々の基準レベルＬＶを格納する。ノード位置認識部１４からの問い合わせに応じて、格納した種々の基準レベルＬＶの中から条件にあったレベルまたはレベル範囲を出力する。
【００３０】
マルチプレクサ１６は、光減衰量制御部１３において光減衰量制御が行われた各波長の光信号を合成（合波）して多重化する。
【００３１】
増幅器１７は、マルチプレクサ１６から出力される光信号を増幅し、回線ＫＳに対して出力する。
【００３２】
光波長多重伝送装置３は上に述べたような構成であるが、ノードＮＤの位置によって構成を変更してもよい。例えば、入力される光信号が全てクライアントからの光信号である場合には、デマルチプレクサ１２は不要である。また、出力する光信号を全てクライアントに送る場合にはマルチプレクサ１６は不要である。
【００３３】
光波長多重伝送装置３は、メモリに格納した適当なプログラムをＣＰＵやＤＳＰなどが実行することによってソフト的に、または適当なハードウエア回路によって、またはそれらの組み合わせによって、それぞれ実現することが可能である。
【００３４】
次に、図３ないし図９を用いて、本実施形態の光減衰量制御についてさらに詳しく説明する。
【００３５】
本実施形態の光減衰量制御においては、光信号のレベルに応じて、ローパスフィルタによるフィルタリング処理、積分処理、または停止処理が行われる。
【００３６】
図３に示すように、演算部２３の減算器に、ノード位置認識部１４から出力されるレベル（ＬＶｔ）またはレベル範囲（ＬＶａ〜ｃ）と、レベルモニタ２４で検出された光信号のレベルとが入力され、その差分が演算され、増幅器で増幅される。この差分の大きさに基づいて、調整部２２のいずれかの処理が行われる。
【００３７】
ローパスフィルタによるフィルタリング処理は、光信号のレベルが目標レベルＬＶｔから大きく外れている場合に、比例制御によって迅速に目標レベルＬＶｔに近づけるための処理を行う。本実施形態では、図４に示すように、電源をオンした後などにおいて、光信号のレベルが積分レベル範囲ＬＶｃを越えていた場合に、フィルタリング処理を行う。また、フィルタリング処理が一旦開始された後では、光信号のレベルが再開レベル範囲ＬＶｂに入ったときに、積分処理に移行する。フィルタリング処理では、応答速度は速いが定常誤差が残る。
【００３８】
積分処理では、光信号のレベルが目標レベルＬＶｔにかなり近づいた場合に、正確に目標レベルＬＶｔに一致させるような処理を行う。本実施形態では、停止処理の後で光信号のレベルが再開レベル範囲ＬＶｂを越えたとき、またはフィルタリング処理において再開レベル範囲ＬＶｂに入ったときに、積分処理に移行する。また、積分処理が一旦開始された後では、光信号のレベルが積分レベル範囲ＬＶｃを越えたときにフィルタリング処理に移行し、また停止レベル範囲ＬＶａに入ったときに停止処理に移行する。積分処理では、応答速度は遅いが定常誤差が残らない。
【００３９】
停止処理では、上の調整部２２の説明で述べたように、光信号のレベルが停止レベル範囲内にあるときに、光減衰量制御を停止させる。その際に、例えば、光信号のレベルが設定された停止レベル範囲ＬＶａ内に所定の時間以上あって安定状態であると判断されたときに、光減衰量制御を停止させる。また、光信号のレベルが最適のレベル例えば目標レベルＬＶｔに一致したときに、光減衰量制御の停止を実行する。また、光減衰量制御の停止中においては、光信号のレベルが再開レベル範囲ＬＶｂを越えたときに積分処理に移行し、積分レベル範囲ＬＶｃを越えたときには直ぐにフィルタリング処理に移行する。
【００４０】
図５に示すように、レベル格納部１５には、パターンとして３種類の基準レベルＬＶａ〜ｃについて、ノード位置情報ＤＰとして「スルー」と「ドロップ前」とについて、それぞれのレベルの数値が格納されている。ここで、ノード位置情報ＤＰが「ドロップ前」であるとは、当該ノードＮＤの次のノードＮＤでドロップが行われることを意味する。また、ノード位置情報ＤＰが「スルー」であるとは、次のノードＮＤでドロップが行われないことを意味する。
【００４１】
図５によると、「ドロップ前」の場合には「スルー」の場合と比べてレベル範囲の基準が厳しい。これは、次のノードＮＤでドロップが行われる場合には、当該ノードＮＤにおいて光信号のレベルをより厳しく管理する必要があるからである。
【００４２】
したがって、例えば、「ドロップ前」では、光信号のレベルが大きく外れた状態ではフィルタリング処理が行われ、目標レベルＬＶｔである「−２０ｂＢｍ」に対して「±１．０ｄＢ」の範囲に入れば積分処理に移行し、さらに「±０．５ｄＢ」の範囲に入れば停止処理に移行する。また、停止処理によって光減衰量制御が停止している状態で、光信号のレベルが「±１．０ｄＢ」の範囲を越えれば積分処理に移行し、さらに「±１．５ｄＢ」の範囲を越えればフィルタリング処理に移行する。
【００４３】
図６において、時刻ｔ１で光信号が再開レベル範囲ＬＶｂに入ったので、フィルタリング処理から積分処理に移行し、時刻ｔ２で停止レベル範囲ＬＶａに入ったので、停止処理に移行する。停止処理においては、停止レベル範囲ＬＶａにある状態が時間Ｔ１以上続いたので、その後で最初に目標レベルＬＶｔと一致した時刻ｔ３で、光減衰量制御の停止を実行する。
【００４４】
なお、停止処理において、実際に停止を実行するまでの間は、光信号に対して積分処理を行って目標レベルＬＶｔに近づけるようにしてもよい。
【００４５】
光減衰量制御を実行した後は、光信号のレベルは、当該ノードＮＤに入力される光信号のレベルなどに依存したものとなる。例えば、当該ノードＮＤに入力される光信号が所定の振幅の揺らぎを持っている場合に、その揺らぎがそのまま当該ノードＮＤの出力に現れる。
【００４６】
図７において、停止処理によって光減衰量制御を停止しているときに、時刻ｔ４において光信号のレベルが再開レベル範囲ＬＶｂを越えたので、積分処理による光減衰量制御が再開される。また、その後の時刻ｔ５でさらに積分レベル範囲ＬＶｃを越えたので、光減衰量制御はフィルタリング処理に移行する。
【００４７】
また、図には示されていないが、時刻ｔ５の後で停止レベル範囲ＬＶａに入った場合には、再度停止処理に移行することになる。
【００４８】
このように、光波長多重伝送装置３では、光信号のレベルが所定のレベル範囲内に入った場合に、最も適切なタイミングで光減衰量制御を停止する。
【００４９】
これによって、光信号レベルの揺らぎが累積するという従来の光減衰量制御の欠点をなくし、ノードＮＤが多段に接続されても光信号レベルの揺らぎが累積しないように抑制することができる。
【００５０】
なお、図６および図７において、光信号のレベルの認識や処理の移行などは、クロック信号などに基づいた所定の短い周期ごとに実行され、または所定の短い周期に合わせて実行される。
【００５１】
図８に示すように、ノードＮＤ１に入力される光信号のレベルが停止レベル範囲ＬＶａである「±１．０ｄＢ」の十分小さい範囲内であった場合に、ノードＮＤ１〜４は停止処理が行われ、これによって、ノードＮＤ１〜４の出力には同じ大きさの揺らぎのみが現れ、従来の図１３に示すように揺らぎが累積することがない。
【００５２】
次に、フローチャートによって本実施形態の光波長多重伝送装置３の処理動作を説明する。
【００５３】
図９において、各ノードＮＤのノード位置認識部１４が、オペレーションステーションＯＰＳの保守者が設定したノード位置情報ＤＰをそれぞれ受信する（＃１１）。本実施形態において、保守者は、ノードＮＤ１〜３には「スルー」設定を行い、ノードＮＤ４には「ドロップ前」設定を実施する。
【００５４】
ノード位置認識部１４は、オペレーションステーションＯＰＳから設定されたノード位置情報ＤＰを元に、レベル格納部１５から目標となるレベル範囲を認識する（＃１２）。ノード位置認識部１４から演算部２３に対して、目標となるレベル範囲を通知する（＃１３）。
【００５５】
演算部２３において、目標となるレベル範囲と、レベルモニタ２４から取得した光信号のレベルとの比較演算を実施する（＃１４）。演算部２３で比較演算した結果を、調整部２２に通知する（＃１５）。
【００５６】
調整部２２では、比較演算した結果を元に、光減衰量制御を実行し、または停止するように、または再開するように、ＶＡＴ制御部２１に対する制御を行う（＃１６）。
【００５７】
図１０において、停止処理では、光信号のレベルが停止レベル範囲ＬＶａに入ったか否かを判断し（＃２１）、入っている場合に、安定状態の判断のために時間Ｔ１が経過するまで待つ（＃２２）。時間Ｔ１が経過すると、光信号のレベルが目標レベルＬＶｔに一致した時点で（＃２３でイエス）、停止処理を実行する（＃２５）。目標レベルＬＶｔになるまでに時間Ｔ２が経過してしまうと（＃２４でイエス）、ステップ＃２１の最初からやりなおす。
【００５８】
上に述べた実施形態によると、光信号レベルの揺らぎが累積することがなく、光減衰量制御によって光信号のレベルが安定するまでの時間が短縮され、また、接続できるノード数を従来よりも多くすることが可能である。
【００５９】
上に述べた実施形態において、ノード位置認識部１４が本発明の第１のレベル範囲取得部に、レベル格納部１５が本発明の光信号レベル格納部に、調整部２２および演算部２３が本発明の光減衰量制御停止部に、それぞれ対応する。また、停止レベル範囲ＬＶａが本発明の第１のレベル範囲に、再開レベル範囲ＬＶｂが本発明の第２のレベル範囲に、積分レベル範囲ＬＶｃが本発明の第３のレベル範囲に、それぞれ相当する。
【００６０】
上に述べた実施形態において、光波長多重伝送装置３の構成は上に述べた以外に種々変更することができる。光減衰量制御部１３において、光信号のレベルを目標レベルＬＶｔに近づけるための処理として、一般的なフィードバック制御を用いることが可能である。その場合に、比例、積分、微分のそれぞれの制御を種々組み合わせることができる。
【００６１】
また、停止処理から積分処理に移行する際の条件と、フィルタリング処理から積分処理に移行する際の条件とが、いずれも同じ再開レベル範囲ＬＶｂとなっているが、これらのレベル範囲を互いに異ならせてもよい。停止処理において、停止レベル範囲ＬＶａに入った後で目標レベルＬＶｔに一致した時点で停止処理を実行したが、停止レベル範囲ＬＶａに入った時点で停止処理を実行してもよい。また、停止処理において、光減衰量制御を完全に停止したが、完全に停止するのではなく、実質的に光減衰量制御が停止した状態となるようにしてもよい。停止レベル範囲ＬＶａ、再開レベル範囲ＬＶｂ、積分レベル範囲ＬＶｃなどは、上に述べた以外の種々の値を設定することができる。また、光信号のレベルとレベル範囲との比較やそれらの大小判断においても、種々の方法を採用することが可能である。
【００６２】
その他、光波長多重伝送装置３およびＷＤＭシステム１の全体または各部の構成、構造、形状、個数、処理の内容または順序などは、本発明の趣旨に沿って適宜変更することができる。                                                                              
【００６３】
以上、本発明の実施形態をいくつかの実施例とともに説明したが、本発明は上記実施形態に限定されることなく種々の形態で実施することが可能である。
（付記１）
波長多重化された各波長ごとに光信号のレベルが一定となるように光減衰量制御が行われる光波長多重伝送装置の制御方法であって、
前記各波長の光信号について、それぞれのレベルが予め設定された第１のレベル範囲内であるか否かを判別し、レベルが第１のレベル範囲内であるときにその波長の光信号に対する前記光減衰量制御を停止する、
ことを特徴とする光波長多重伝送装置の制御方法。
（付記２）
前記光減衰量制御を停止した波長の光信号に対して、そのレベルが予め設定された第２のレベル範囲内であるか否かを判別し、レベルが第２のレベル範囲内でないときにその光信号に対する前記光減衰量制御を再開する、
付記１記載の光波長多重伝送装置の制御方法。
（付記３）
波長多重化された光信号を各波長ごとの光信号に分離するデマルチプレクサと、
前記各波長の光信号のレベルが一定となるように光減衰量制御を行う光減衰量制御部と、
前記光減衰量制御が行われた前記各波長の光信号を合成して多重化するマルチプレクサと、
光信号のレベルについての第１のレベル範囲を格納する光信号レベル格納部と、
前記各波長の光信号のレベルが前記光信号レベル格納部から取得した第１のレベル範囲内であるか否かを判別し、レベルが第１のレベル範囲内であるときにその波長の光信号に対する前記光減衰量制御を停止させる光減衰量制御停止部と、
を有することを特徴とする光波長多重伝送装置。
（付記４)
前記光信号レベル格納部には、当該光波長多重伝送装置のネットワーク内におけるノード位置に応じた複数の第１のレベル範囲が格納されており、
前記光減衰量制御停止部において、前記光信号レベル格納部に格納された複数の第１のレベル範囲の中から当該光波長多重伝送装置のノード位置に対応して取得した第１のレベル範囲を用いて判別を行う、
付記３記載の光波長多重伝送装置。
（付記５）
前記光減衰量制御停止部は、前記光信号のレベルが所定の時間以上前記第１のレベル範囲内にあったときに、前記光信号のレベルが前記第１のレベル範囲内の最適のレベルに一致したときに前記光減衰量制御の停止を実行する、
付記３または４記載の光波長多重伝送装置。
（付記６）
前記光減衰量制御部は、前記各波長の光信号のレベルが前記第１のレベル範囲よりも広い第３のレベル範囲内にあるときに、前記光信号に対して積分動作による光減衰量制御を行い、前記各波長の光信号のレベルが前記第３のレベル範囲を越えている場合に、前記光信号に対して比例動作による光減衰量制御を行う、
付記３ないし５のいずれかに記載の光波長多重伝送装置。
（付記７）
前記光減衰量制御部は、前記光信号に対して比例動作による光減衰量制御を行う際に、当該光信号に対してローパスフィルタによるフィルタリングを行う、
付記６記載の光波長多重伝送装置。
（付記８）
前記光減衰量制御停止部は、前記光減衰量制御を停止した波長の光信号に対して、そのレベルが第２のレベル範囲内でないときにその光信号に対する前記光減衰量制御を再開させる、
付記３ないし７のいずれかに記載の光波長多重伝送装置。
（付記９）
ネットワークのノードに光波長多重伝送装置が配置された光波長多重伝送システムであって、
前記光波長多重伝送装置には、
波長多重化された光信号を各波長ごとの光信号に分離するデマルチプレクサと、
前記各波長の光信号のレベルが一定となるように光減衰量制御を行う光減衰量制御部と、
前記光減衰量制御が行われた前記各波長の光信号を合成して多重化するマルチプレクサと、
光信号のレベルについて、当該光波長多重伝送装置のネットワーク内におけるノードの機能に応じた複数の第１のレベル範囲を格納する光信号レベル格納部と、
前記光信号レベル格納部に格納された複数の第１のレベル範囲の中から、前記光波長多重伝送システムを管理するオペレーションシステムからの指令に対応した第１のレベル範囲を取得する第１のレベル範囲取得部と、
各波長の光信号のレベルが前記第１のレベル範囲取得部により取得した第１のレベル範囲内であるか否かを判別し、レベルが前記第１のレベル範囲内であるときにその波長の光信号に対する前記光減衰量制御を停止させる光減衰量制御停止部と、
を有することを特徴とする光波長多重伝送システム。
【図面の簡単な説明】
【００６４】
【図１】本発明に係るＷＤＭシステムの構成を示す図である。
【図２】光波長多重伝送装置の構成を示すブロック図である。
【図３】光波長多重伝送装置の要部の機能を説明するための図である。
【図４】光波長多重伝送装置における光減衰量制御を説明するための図である。
【図５】レベル格納部に格納されたレベル範囲の例を示す図である。
【図６】光減衰量制御の様子を示すタイミング図である。
【図７】光減衰量制御の様子を示すタイミング図である。
【図８】光信号レベルの揺らぎの抑制効果を説明するための図である。
【図９】光減衰量制御の流れを示すフローチャートである。
【図１０】停止処理の例を示すフローチャートである。
【図１１】従来における一般的なＷＤＭシステムの構成を示す図である。
【図１２】光信号レベルの揺らぎが累積するメカニズムを説明する図である。
【図１３】光信号の揺らぎが累積する様子を示す図である。
【符号の説明】
【００６５】
１  ＷＤＭシステム
３  光波長多重伝送装置
１２  デマルチプレクサ
１３  光減衰量制御部
１４  ノード位置認識部（停止レベル範囲取得部）
１５  レベル格納部（光信号レベル格納部）
１６  マルチプレクサ
２１  ＶＡＴ制御部
２２  調整部（光減衰量制御停止部）
２３，演算部
２４  レベルモニタ
ＯＰＳ  オペレーションステーション
ＮＤ  ノード
ＬＶｔ  目標レベル
ＬＶａ  停止レベル範囲（第１のレベル範囲）
ＬＶｂ  再開レベル範囲（第２のレベル範囲）
ＬＶｃ  積分レベル範囲（第３のレベル範囲）
【図１】
2008042845.tif 000003
【図２】
2008042845.tif 000004
【図３】
2008042845.tif 000005
【図４】
2008042845.tif 000006
【図５】
2008042845.tif 000007
【図６】
2008042845.tif 000008
【図７】
2008042845.tif 000009
【図８】
2008042845.tif 000010
【図９】
2008042845.tif 000011
【図１０】
2008042845.tif 000012
【図１１】
2008042845.tif 000013
【図１２】
2008042845.tif 000014
【図１３】
2008042845.tif 000015